(57)【要約】【課題】サブフィールド駆動において、正極性電圧の印加時間と負極性電圧の印加時間との時間比を変更できるようにする。【解決手段】記憶手段は、正極性サブフィールドコードに含まれるオンの期間の合計時間と、負極性サブフィールドコードに含まれるオンの期間の合計時間との時間比が異なる第１のサブフィールドコードセットと第２のサブフィールドセットとを記憶し、変換手段は、画像が、視覚者に視覚可能となる第１の期間に用いるサブフィールドコードとして、第１のサブフィールドセットに基づいて、映像信号を正極性サブフィールドコードと負極性サブフィールドコードに変換して出力し、画像が、視覚者に視覚不可となる第２の期間に用いるサブフィールドコードとして、第２のサブフィールドセットに基づいて、映像信号を正極性サブフィールドコードと負極性サブフィールドコードに変換する。【選択図】図３
2014174518.tif 000002
【特許請求の範囲】
【請求項１】
視覚者に画像を視覚させる電気光学装置に用いられる画像処理装置であって、
階調値に対応する複数のサブフィールドのオンまたはオフの組み合わせであって、正極性フィールドで用いられる正極性サブフィールドコードと負極性フィールドで用いられる負極性サブフィールドコードとを記憶する記憶手段と、
映像信号を前記正極性サブフィールドコードと前記負極性サブフィールドコードとに変換し、前記電気光学装置に出力する変換手段とを備え、
前記記憶手段は、
所定の階調値に対応する前記正極性サブフィールドコードと前記負極性サブフィールドコードとの組み合せからなるサブフィールドコードセットであって、前記正極性サブフィールドコードに含まれる前記オンの期間の合計時間と、前記負極性サブフィールドコードに含まれる前記オンの期間の合計時間との時間比が異なる第１のサブフィールドコードセットと第２のサブフィールドセットとを記憶し、
前記変換手段は、
前記画像が、前記視覚者に視覚可能となる第１の期間に用いるサブフィールドコードとして、第１のサブフィールドセットに基づいて、前記映像信号を前記正極性サブフィールドコードと前記負極性サブフィールドコードに変換して出力し、
前記画像が、前記視覚者に視覚不可となる第２の期間に用いるサブフィールドコードとして、第２のサブフィールドセットに基づいて、前記映像信号を前記正極性サブフィールドコードと前記負極性サブフィールドコードに変換する、
ことを特徴とする画像処理装置。
【請求項２】
前記第２の期間における正極性サブフィールドコードまたは負極性サブフィールドコードは、当該第２の期間の終期における前記電気光学装置の階調を、前記時間比によらず共通の状態にするためのコードである
ことを特徴とする請求項１に記載の画像処理装置。
【請求項３】
前記電気光学装置は、液晶パネルを備え、
前記第２の期間における正極性サブフィールドコードまたは負極性サブフィールドコードは、当該第２の期間の終期において前記液晶パネルの応答時間以上連続してサブフィールドをオンするコードである
ことを特徴とする請求項２に記載の画像処理装置。
【請求項４】
前記第２の期間における正極性サブフィールドコードまたは負極性サブフィールドコードは、当該第２の期間の終期から前記液晶パネルの応答時間より前の時間以前の期間のコードが、前記時間比に応じて異なる
ことを特徴とする請求項３に記載の画像処理装置。
【請求項５】
前記液晶パネルにおけるフリッカーを検出する検出手段を有し、
前記変換手段は、前記検出手段によりフリッカーが検出された場合に、前記第２の期間については、前記与えられた時間比に応じて選択された正極性サブフィールドコードと負極性サブフィールドコードとに変換する
ことを特徴とする請求項３に記載の画像処理装置。
【請求項６】
前記変換手段は、前記検出手段によりフリッカーが検出されてない場合に、前記第２の期間については、前記与えられた時間比によらず共通の正極性サブフィールドコードまたは負極性サブフィールドコードに変換する
ことを特徴とする請求項５に記載の画像処理装置。
【請求項７】
視覚者に画像を視覚させる電気光学装置であって、
階調値に対応する複数のサブフィールドのオンまたはオフの組み合わせであって、正極性フィールドで用いられる正極性サブフィールドコードと負極性フィールドで用いられる負極性サブフィールドコードとを記憶する記憶部と、
映像信号を前記正極性サブフィールドコードと前記負極性サブフィールドコードとに変換する変換部と、
前記変換した正極性サブフィールドコードと前記負極性サブフィールドコードに基づいて画像を表示する表示部と、
前記画像の前記視覚者による視覚状態を制御する制御部とを備え、
前記記憶部は、
所定の階調値に対応する前記正極性サブフィールドコードと前記負極性サブフィールドコードとの組み合せからなるサブフィールドコードセットであって、前記正極性サブフィールドコードに含まれる前記オンの期間の合計時間と、前記負極性サブフィールドコードに含まれる前記オンの期間の合計時間との時間比が異なる第１のサブフィールドコードセットと第２のサブフィールドセットとを記憶し、
前記変換部は、
前記画像が、前記視覚者により視覚可能となる第１の期間に用いるサブフィールドコードとして、第１のサブフィールドセットに基づいて、前記映像信号を前記正極性サブフィールドコードと前記負極性サブフィールドコードに変換し、
前記画像が、前記視覚者により視覚不可となる第２の期間に用いるサブフィールドコードとして、第２のサブフィールドセットに基づいて、前記映像信号を前記正極性サブフィールドコードと前記負極性サブフィールドコードに変換し、
前記表示部は、前記第１の期間において、前記第１のサブフィールドコードセットに基づくサブフィールドコードにより画像を表示し、
前記第２の期間において、前記第２のサブフィールドコードセットに基づくサブフィールドコードにより画像を表示する、
ことを特徴とする電気光学装置。
【請求項８】
前記電気光学装置は、前記視覚者が視覚時に着用する立体視眼鏡を含み、
前記立体視眼鏡は、開状態で光の透過し、閉状態で光の透過を遮断する左目用シャッターと右目用シャーターとを備え、
前記第２の期間は、前記左目用シャッターと右眼用シャッターとを前記閉状態とする期間である
ことを特徴とする請求項７に記載の電気光学装置。
【請求項９】
前記電気光学装置は、光源を備え、
前記第２の期間は、前記光源を消灯する期間である
ことを特徴とする請求項８に記載の電気光学装置。
【請求項１０】
前記電気光学装置は、フリッカーを検出する検出部を有し、
前記変換部は、前記検出部によりフリッカーが検出された場合に、前記第２の期間については、前記与えられた時間比に応じて選択された正極性サブフィールドコードまたは負極性サブフィールドコードに変換する
ことを特徴とする請求項７ないし９のいずれか一項に記載の電気光学装置。
【請求項１１】
請求項７ないし１０のいずれか一項に記載の電気光学装置を有する電子機器。
【請求項１２】
視覚者に画像を視覚させる電気光学装置であって、階調値に対応する複数のサブフィールドのオンまたはオフの組み合わせであって、正極性フィールドで用いられる正極性サブフィールドコードと負極性フィールドで用いられる負極性サブフィールドコードとを記憶する記憶部と、映像信号を前記正極性サブフィールドコードと前記負極性サブフィールドコードとに変換する変換部と、前記変換した正極性サブフィールドコードと前記負極性サブフィールドコードに基づいて画像を表示する表示部と、前記画像の前記視覚者による視覚状態を制御する制御部とを備えた電気光学装置の駆動方法において、
前記記憶部に、所定の階調値に対応する前記正極性サブフィールドコードと前記負極性サブフィールドコードとの組み合せからなるサブフィールドコードセットであって、前記正極性サブフィールドコードに含まれる前記オンの期間の合計時間と、前記負極性サブフィールドコードに含まれる前記オンの期間の合計時間との時間比が異なる第１のサブフィールドコードセットと第２のサブフィールドセットとを記憶させ、
前記変換部に、前記画像が、前記視覚者により視覚可能となる第１の期間に用いるサブフィールドコードとして、第１のサブフィールドセットに基づいて、前記映像信号を前記正極性サブフィールドコードと前記負極性サブフィールドコードに変換させ、前記画像が、前記視覚者により視覚不可となる第２の期間に用いるサブフィールドコードとして、第２のサブフィールドセットに基づいて、前記映像信号を前記正極性サブフィールドコードと前記負極性サブフィールドコードに変換させ、
前記表示部に、前記第１の期間において、前記第１のサブフィールドコードセットに基づく正極性サブフィールドコードと負極性サブフィールドコードにより画像を表示させ、
前記第２の期間において、前記第２のサブフィールドコードセットに基づく正極性サブフィールドコードと負極性サブフィールドコードにより画像を表示させる、
ことを特徴とする電気光学装置の駆動方法。
【発明の詳細な説明】
【技術分野】
【０００１】
本発明は、液晶等の電気光学素子を用いた電気光学装置における表示不良を抑制する技術に関する。
【背景技術】
【０００２】
液晶等の電気光学素子を用いた電気光学装置において、直流電圧が印加され続けると電気光学素子が劣化してしまうことが知られている。劣化を防ぐため、一般に電気光学素子は交流駆動される。例えば液晶装置においては、液晶層を挟む画素電極基板と対向電極基板との物理的な構造が異なるため、所定の電位（例えば、対向電極電位）を基準として正極性電圧が印加された場合と負極性電圧が印加された場合とでは、電極と配向膜との界面や配向膜と液晶層等との界面における抵抗値が異なってしまう。たとえ正極性電圧および負極性電圧の実効電圧が等しくても、電流量すなわち電荷の移動量に非対称性が生じる。電荷の移動量の非対称性により、液晶内部の電荷に偏りが生じて内部電界が発生する。内部電界の影響により、実際に液晶層に印加される電圧が正極性と負極性とで非対称となり、直流成分を含んでしまう。この影響により、フリッカー、液晶の焼き付きなどの表示不良が発生する場合がある。この問題に対処するため、特許文献１は、正極性電圧を印加する期間および負極性電圧を印加する期間の時間比を調整することを開示している。
【０００３】
液晶素子における階調制御方法として、液晶素子に印加される電圧を変調する電圧変調方式の他、液晶素子に一定電圧が印加される時間を変調する、いわゆるサブフィールド駆動方式が知られている（特許文献２）。サブフィールド駆動方式において、１フレームは複数のサブフィールドに分割される。複数のサブフィールドのうち電圧を印加するサブフィールド（オンするサブフィールド）と電圧を印加しないサブフィールド（オフするサブフィールド）との組み合わせにより、液晶素子の階調が制御される。また、液晶素子においては、液晶の焼き付きや劣化を防ぐため、印加電圧の極性を時間的に切り替える駆動が行われる。理想的には、正極性の電圧による書き込みを行った後で、同じ時間、負極性の電圧による書き込みが行われることが望ましい。このため、１フレームは半分に分割され、この半分のフレームに含まれるサブフィールドを用いて階調制御が行われる。
【先行技術文献】
【特許文献】
【０００４】
【特許文献１】特開２０１０−７９１５１号公報
【特許文献１】国際公開第００／７０５９４号
【発明の概要】
【発明が解決しようとする課題】
【０００５】
サブフィールド駆動方式においてフリッカー等の表示不良対策のために正極性電圧の印加時間と負極性電圧の印加時間との時間比を変更する駆動を導入しようとしても、正極性電圧が印加される期間および負極性電圧が印加される期間のそれぞれにおけるサブフィールド数が変動してしまうため、導入できなかった。
これに対し本発明は、サブフィールド駆動において、正極性電圧の印加時間と負極性電圧の印加時間との時間比を変更できるようにする技術を提供する。
【課題を解決するための手段】
【０００６】
本発明は、視覚者に画像を視覚させる電気光学装置に用いられる画像処理装置であって、階調値に対応する複数のサブフィールドのオンまたはオフの組み合わせであって、正極性フィールドで用いられる正極性サブフィールドコードと負極性フィールドで用いられる負極性サブフィールドコードとを記憶する記憶手段と、映像信号を前記正極性サブフィールドコードと前記負極性サブフィールドコードとに変換し、前記電気光学装置に出力する変換手段とを備え、前記記憶手段は、所定の階調値に対応する前記正極性サブフィールドコードと前記負極性サブフィールドコードとの組み合せからなるサブフィールドコードセットであって、前記正極性サブフィールドコードに含まれる前記オンの期間の合計時間と、前記負極性サブフィールドコードに含まれる前記オンの期間の合計時間との時間比が異なる第１のサブフィールドコードセットと第２のサブフィールドセットとを記憶し、前記変換手段は、前記画像が、前記視覚者に視覚可能となる第１の期間に用いるサブフィールドコードとして、第１のサブフィールドセットに基づいて、前記映像信号を前記正極性サブフィールドコードと前記負極性サブフィールドコードに変換して出力し、前記画像が、前記視覚者に視覚不可となる第２の期間に用いるサブフィールドコードとして、第２のサブフィールドセットに基づいて、前記映像信号を前記正極性サブフィールドコードと前記負極性サブフィールドコードに変換する、ことを特徴とする画像処理装置を提供する。
この画像処理装置によれば、サブフィールド駆動において、正極性電圧の印加時間と負極性電圧の印加時間との時間比を変更でき、かつ、変更による表示不具合を低減することができる。
【０００７】
前記電気光学装置は、前記視覚者が視覚時に着用する立体視眼鏡を含み、前記立体視眼鏡は、開状態で光の透過し、閉状態で光の透過を遮断する左目用シャッターと右目用シャーターとを備え、前記第２の期間は、前記左目用シャッターと右眼用シャッターとを前記閉状態とする期間であってもよい。
この電気光学装置によれば、立体視表示を行うシステムにおいて、サブフィールド駆動をしつつ、正極性電圧の印加時間と負極性電圧の印加時間との時間比を変更でき、かつ、変更による表示不具合を低減することができる。
【０００８】
前記電気光学装置は、光源を備え、前記第２の期間は、前記光源を消灯する期間であってもよい、
この電気光学装置によれば、液晶パネルの光源を消灯する期間を有するシステムにおいて、サブフィールド駆動をしつつ、正極性電圧の印加時間と負極性電圧の印加時間との時間比を変更でき、かつ、変更による表示不具合を低減することができる。
【０００９】
前記第２の期間における正極性サブフィールドコードまたは負極性サブフィールドコードは、当該第２の期間の終期における前記電気光学装置の階調を、前記時間比によらず共通の状態にするためのコードであってもよい。
この画像処理装置によれば、階調の再現性を向上させることができる。
【００１０】
前記電気光学装置は、液晶パネルを備え、前記第２の期間における正極性サブフィールドコードまたは負極性サブフィールドコードは、当該第２の期間の終期において前記液晶パネルの応答時間以上連続してサブフィールドをオンするコードであってもよい。
この画像処理装置によれば、階調の再現性をさらに向上させることができる。
【００１１】
前記第２の期間における正極性サブフィールドコードまたは負極性サブフィールドコードは、当該第２の期間の終期から前記液晶パネルの応答時間より前の時間以前の期間のコードが、前記時間比に応じて異なってもよい。
この画像処理装置によれば、階調の再現性を保ちつつ、時間比を変更することができる。
【００１２】
前記液晶パネルにおけるフリッカーを検出する検出手段を有し、前記変換手段は、前記検出手段によりフリッカーが検出された場合に、前記第２の期間については、前記与えられた時間比に応じて選択された正極性サブフィールドコードと負極性サブフィールドコードとに変換してもよい。
この画像処理装置によれば、液晶パネルにおいて検出されたフリッカーに応じて、時間比を変更することができる。
【００１３】
前記変換手段は、前記検出手段によりフリッカーが検出されてない場合に、前記第２の期間については、前記与えられた時間比によらず共通の正極性サブフィールドコードまたは負極性サブフィールドコードに変換してもよい。
この画像処理装置によれば、液晶パネルにおいてフリッカーが検出された場合にのみ、時間比に応じた変換を行うことができる。
【００１４】
また、本発明は、視覚者に画像を視覚させる電気光学装置であって、階調値に対応する複数のサブフィールドのオンまたはオフの組み合わせであって、正極性フィールドで用いられる正極性サブフィールドコードと負極性フィールドで用いられる負極性サブフィールドコードとを記憶する記憶部と、映像信号を前記正極性サブフィールドコードと前記負極性サブフィールドコードとに変換する変換部と、前記変換した正極性サブフィールドコードと前記負極性サブフィールドコードに基づいて画像を表示する表示部と、前記画像の前記視覚者による視覚状態を制御する制御部とを備え、前記記憶部は、所定の階調値に対応する前記正極性サブフィールドコードと前記負極性サブフィールドコードとの組み合せからなるサブフィールドコードセットであって、前記正極性サブフィールドコードに含まれる前記オンの期間の合計時間と、前記負極性サブフィールドコードに含まれる前記オンの期間の合計時間との時間比が異なる第１のサブフィールドコードセットと第２のサブフィールドセットとを記憶し、前記変換部は、前記画像が、前記視覚者により視覚可能となる第１の期間に用いるサブフィールドコードとして、第１のサブフィールドセットに基づいて、前記映像信号を前記正極性サブフィールドコードと前記負極性サブフィールドコードに変換し、前記画像が、前記視覚者により視覚不可となる第２の期間に用いるサブフィールドコードとして、第２のサブフィールドセットに基づいて、前記映像信号を前記正極性サブフィールドコードと前記負極性サブフィールドコードに変換し、前記表示部は、前記第１の期間において、前記第１のサブフィールドコードセットに基づくサブフィールドコードにより画像を表示し、前記第２の期間において、前記第２のサブフィールドコードセットに基づくサブフィールドコードにより画像を表示する、ことを特徴とする電気光学装置を提供する。
この電気光学装置によれば、サブフィールド駆動において、正極性電圧の印加時間と負極性電圧の印加時間との時間比を変更でき、かつ、変更による表示不具合を低減することができる。
【００１５】
さらに、本発明は、上記の電気光学装置を有する電子機器を提供する。
この電子機器によれば、サブフィールド駆動において、正極性電圧の印加時間と負極性電圧の印加時間との時間比を変更でき、かつ、変更による表示不具合を低減することができる。
【００１６】
さらに、本発明は、視覚者に画像を視覚させる電気光学装置であって、階調値に対応する複数のサブフィールドのオンまたはオフの組み合わせであって、正極性フィールドで用いられる正極性サブフィールドコードと負極性フィールドで用いられる負極性サブフィールドコードとを記憶する記憶部と、映像信号を前記正極性サブフィールドコードと前記負極性サブフィールドコードとに変換する変換部と、前記変換した正極性サブフィールドコードと前記負極性サブフィールドコードに基づいて画像を表示する表示部と、前記画像の前記視覚者による視覚状態を制御する制御部とを備えた電気光学装置の駆動方法において、前記記憶部に、所定の階調値に対応する前記正極性サブフィールドコードと前記負極性サブフィールドコードとの組み合せからなるサブフィールドコードセットであって、前記正極性サブフィールドコードに含まれる前記オンの期間の合計時間と、前記負極性サブフィールドコードに含まれる前記オンの期間の合計時間との時間比が異なる第１のサブフィールドコードセットと第２のサブフィールドセットとを記憶させ、前記変換部に、前記画像が、前記視覚者により視覚可能となる第１の期間に用いるサブフィールドコードとして、第１のサブフィールドセットに基づいて、前記映像信号を前記正極性サブフィールドコードと前記負極性サブフィールドコードに変換させ、前記画像が、前記視覚者により視覚不可となる第２の期間に用いるサブフィールドコードとして、第２のサブフィールドセットに基づいて、前記映像信号を前記正極性サブフィールドコードと前記負極性サブフィールドコードに変換させ、前記表示部に、前記第１の期間において、前記第１のサブフィールドコードセットに基づくサブフィールドコードにより画像を表示させ、前記第２の期間において、前記第２のサブフィールドコードセットに基づくサブフィールドコードにより画像を表示させる、ことを特徴とする電気光学装置の駆動方法を提供する。
この駆動方法によれば、サブフィールド駆動において、正極性電圧の印加時間と負極性電圧の印加時間との時間比を変更でき、かつ、変更による表示不具合を低減することができる。
【図面の簡単な説明】
【００１７】
【図１】一実施形態に係る電気光学装置１の構成を示す図。
【図２】画素１１１の等価回路を示す図。
【図３】画像処理回路３０の構成を示す図。
【図４】液晶パネル１００の駆動方法を示すタイミングチャート。
【図５】時間比ｒとサブフィールドとの関係を例示する図。
【図６】画像処理回路３０の動作を示すフローチャート。
【図７】ＬＵＴ３１１の構成を例示する図。
【図８】ＬＵＴ３１２の構成を例示する図。
【図９】本実施形態において用いられるサブフィールドコードを例示する図。
【図１０】本実施形態において用いられるサブフィールドコードを例示する図。
【図１１】変形例１に係る電気光学装置１の構成を例示する図である。
【発明を実施するための形態】
【００１８】
１．構成
図１は、一実施形態に係る電気光学装置１の構成を示す図である。電気光学装置１は、カラー画像を表示する装置であり、例えばプロジェクター（電子機器の一例）において、光源からの光を変調する光変調器として用いられる。電気光学装置１は、液晶パネル１００（電気光学パネル）、走査線駆動回路１３０、およびデータ線駆動回路１４０を３組と、制御回路１０とを有する。各組は、それぞれ、色成分Ｒ、色成分Ｇ、および色成分Ｂに対応している。ここでは、図面が煩雑になるのを避けるため、１組の液晶パネル１００、走査線駆動回路１３０、およびデータ線駆動回路１４０のみを図示している。
【００１９】
液晶パネル１００は、供給される信号に応じて画像を表示する装置である。液晶パネル１００は、ｍ行ｎ列のマトリクス状に配置された画素１１１を有する。画素１１１は、走査線駆動回路１３０及びデータ線駆動回路１４０から供給される信号に応じた光学状態を示す。液晶パネル１００は、複数の画素１１１の光学状態を制御することにより画像を表示する。
【００２０】
液晶パネル１００は、素子基板１００ａと、対向基板１００ｂと、液晶１０５とを有する。素子基板１００ａと対向基板１００ｂとは、一定の間隙を保って貼り合わせられている。この間隙に、液晶１０５が挟まれている。
【００２１】
素子基板１００ａは、対向基板１００ｂとの対向面において、ｍ行の走査線１１２およびｎ列のデータ線１１４を有する。走査線１１２はＸ（横）方向に沿って、データ線１１４はＹ（縦）方向に沿って、それぞれ設けられており、互いに絶縁されている。一の走査線１１２を他の走査線１１２と区別するときは、図において上から順に第１、第２、第３、…、第（ｍ−１）、および第ｍ行の走査線１１２という。同様に、一のデータ線１１４を他のデータ線１１４と区別するときは、図において左から順に第１、第２、第３、…、第（ｎ−１）、第ｎ列のデータ線１１４という。画素１１１は、Ｘ軸およびＹ軸に垂直な位置にある視点からみたときに、走査線１１２およびデータ線１１４の交差に対応して設けられている。
【００２２】
図２は、画素１１１の等価回路を示す図である。画素１１１は、ＴＦＴ１１６と、液晶素子１２０と、保持容量１２５とを有する。液晶素子１２０は、画素電極１１８と、液晶１０５と、コモン電極１０８とを有する。画素電極１１８は、画素１１１毎に個別に設けられた電極である。コモン電極１０８は、すべての画素１１１に共通の電極である。画素電極１１８は素子基板１００ａに、コモン電極１０８は対向基板１００ｂに、それぞれ設けられている。液晶１０５は、画素電極１１８およびコモン電極１０８に挟まれている。コモン電極１０８には、コモン電圧ＬＣｃｏｍが印加される。
【００２３】
ＴＦＴ１１６は、画素電極１１８への電圧の印加を制御するスイッチング素子の一例であり、この例では、ｎチャネル型の電界効果トランジスターである。ＴＦＴ１１６は、画素１１１毎に個別に設けられている。第ｉ行第ｊ列のＴＦＴ１１６のゲートは第ｉ行の走査線１１２に、ソースは第ｊ列のデータ線１１４に、ドレインは画素電極１１８に、それぞれ接続されている。保持容量１２５は、一端が画素電極１１８に、他端が容量線１１５に、それぞれ接続されている。容量線１１５には、時間的に一定の電圧が印加される。
【００２４】
第ｉ行の走査線１１２にＨ（High）レベルの電圧（以下「選択電圧」という）が印加されると、第ｉ行第ｊ列のＴＦＴ１１６はオン状態となり、ソースとドレインが導通する。このとき、第ｊ列のデータ線１１４に、第ｉ行第ｊ列の画素１１１の階調値（データ）に応じた電圧（以下「データ電圧」という）が印加されると、データ電圧は、ＴＦＴ１１６を介して第ｉ行第ｊ列の画素電極１１８に印加される。
【００２５】
その後、第ｉ行の走査線１１２にＬ（Low）レベルの電圧（以下「非選択電圧」という）が印加されると、ＴＦＴ１１６はオフ状態になり、ソースとドレインは高インピーダンス状態となる。ＴＦＴ１１６がオン状態のとき画素電極１１８に印加された電圧は、液晶素子１２０の容量性および保持容量１２５によって、ＴＦＴ１１６がオフ状態になった後も保持される。
【００２６】
液晶素子１２０には、データ電圧とコモン電圧との電位差に相当する電圧が印加される。液晶１０５の分子配向状態は、液晶素子１２０に印加される電圧に応じて変化する。画素１１１の光学状態は、液晶１０５の分子配向状態に応じて変化する。例えば、液晶パネル１００が透過型のパネルである場合、変化する光学状態は透過率である。
【００２７】
再び図１を参照する。走査線駆動回路１３０は、ｍ本の走査線１１２の中から一の走査線１１２を順次排他的に選択する（すなわち走査線１１２を走査する）回路である。具体的には、走査線駆動回路１３０は、制御信号Ｙｃｔｒに従って、第ｉ行の走査線１１２に、走査信号Ｙｉを供給する。この例で、走査信号Ｙｉは、選択される走査線１１２に対しては選択電圧となり、選択されない走査線１１２に対しては非選択電圧となる信号である。
【００２８】
データ線駆動回路１４０は、ｎ本のデータ線１１４にデータ電圧を示す信号（以下「データ信号」という）を出力する回路である。具体的には、データ線駆動回路１４０は、画像処理回路３０から供給されるデータ信号Ｖｘを、制御信号Ｘｃｔｒに従ってサンプリングし、第１〜第ｎ列のデータ線１１４にデータ信号Ｘ１〜Ｘｎとして出力する。なお、本説明において電圧については、液晶素子１２０の印加電圧を除き、特に明記しない限り図示省略した接地電位を基準（ゼロＶ）として表す。
【００２９】
液晶パネル１００に表示される画像は、所定の周期で書き換えられる。以下、この書き換えの周期を「フレーム」という。例えば、画像が６０Ｈｚで書き換えられる場合、１フレームは約１６．７ｍｓｅｃである。走査線駆動回路１３０が１フレームに１回、ｍ本の走査線１１２を走査し、データ線駆動回路１４０がデータ信号を出力することにより、液晶パネル１００に表示される画像が書き換えられる。
【００３０】
この例で、液晶パネル１００の駆動にはサブフィールド駆動方式が用いられる。サブフィールド駆動方式において、１フレームはさらに複数の期間に分割される。この分割された期間をサブフィールドという。各サブフィールドにおいて液晶素子１２０に印加される電圧の絶対値は、オン電圧（例えば５Ｖ）およびオフ電圧（例えばゼロＶ）の２値のいずれかである。複数のサブフィールドは、オン電圧の極性が正極性となる期間（以下「正極性フィールド」という）およびオン電圧の極性が負極性となる期間（以下「負極性フィールド」という）に分けられる。
【００３１】
制御回路１０は、上位装置から供給される映像信号Ｖｉｄ−ｉｎおよび同期信号Ｓｙｎｃに応じて走査線駆動回路１３０およびデータ線駆動回路１４０を制御する信号を出力する。映像信号Ｖｉｄ−ｉｎは、液晶パネル１００における各画素の階調値をそれぞれ指定するデジタル信号である。映像信号Ｖｉｄ−ｉｎは、同期信号Ｓｙｎｃと同期して供給される。同期信号は、垂直走査信号、水平走査信号およびドットクロック信号（いずれも図示省略）を含んでいる。この例で、映像信号Ｖｉｄ−ｉｎの周波数は６０Ｈｚである。すなわち、映像信号Ｖｉｄ−ｉｎにより示される画像は、１６．６７ミリ秒毎に書き換えられる。
【００３２】
なお、映像信号Ｖｉｄ−ｉｎは直接的には階調値を指定するものであるが、階調値に応じて液晶素子に印加される電圧（以下「印加電圧」という）が定まるので、映像信号Ｖｉｄ−ｉｎは液晶素子の印加電圧を指定するものといえる。
【００３３】
制御回路１０は、走査制御回路２０と画像処理回路３０とを有する。走査制御回路２０は、制御信号Ｘｃｔｒ、制御信号Ｙｃｔｒ、制御信号Ｉｃｔｒ等、各種の制御信号を生成して、同期信号Ｓｙｎｃに同期して各部を制御する。画像処理回路３０は、デジタルの映像信号Ｖｉｄ−ｉｎを処理して、色成分毎にデータ信号Ｖｘを出力する。
【００３４】
図３は、画像処理回路３０の構成を示す図である。画像処理回路３０は、記憶部３１と、極性信号生成部３２と、変換部３３と、出力部３４とを有する。記憶部３１は、映像信号Ｖｉｄ−ｉｎにより示される階調値をサブフィールドコードに変換する際に用いられるＬＵＴ３１１およびＬＵＴ３１２を記憶している。サブフィールドコードは、各階調について、複数のサブフィールドの各々においてオン電圧（第１階調、、ノーマリーブラックモードの液晶の場合は、例えば白に対応する電圧）およびオフ電圧（第２階調、、ノーマリーブラックモードの液晶の場合は、例えば黒に対応する電圧）のどちらを印加すべきであるかを示す情報である。複数のサブフィールドは、視覚者への画像の視覚を可能とする第１の期間（以下「オン期間」という）と、視覚者への画像の視覚を不可とするする第２の期間（以下「オフ期間」という）とを含む。ＬＵＴ３１１は、オン期間において用いられるサブフィールドコードが記録されたテーブルである。ＬＵＴ３１２は、オフ期間において用いられるサブフィールドコードが記録されたテーブルである。ＬＵＴ３１２は、異なる時間比に対応する複数のサブフィールドコードを含んでいる。ここでいう時間比は、正極性フィールドにおいてサブフィールドコード（正極性サブフィールドコード）のオンに対応するオン電圧（正極性電圧）が印加されるサブフィールドの合計時間（以下「正極性印加時間」という）と負極性フィールドにおいてサブフィールドコード（負極性サブフィールドコード）のオンに対応するオン電圧（負極性電圧）が印加されるサブフィールドの合計時間（以下「負極性印加時間」という）との時間比である。
【００３５】
極性信号生成部３２は極性信号ＦＲＰを生成する。極性信号ＦＲＰは、今が正極性フィールドおよび負極性フィールドのどちらであるかを示す信号である。この例で、極性信号生成部３２は外部から入力される同期信号Ｓｙｎｃから極性信号ＦＲＰを生成する。極性信号生成部３２は生成した極性信号ＦＲＰを、変換部３３および他の装置（例えばデータ線駆動回路１４０）に出力する。なお、この例で、極性反転周期、すなわち極性信号ＦＲＰのレベルが反転する周期は、時間比によらず一定である。
【００３６】
変換部３３は、映像信号Ｖｉｄ−ｉｎにより示される階調値を、サブフィールドコードに変換する。この例で、変換部３３は、時間比および現在が正極性フィールドであるか負極性フィールドであるかに応じて、階調値をサブフィールドコードに変換する。すなわち、変換部３３は、映像信号Ｖｉｄ−ｉｎに加え、時間比を示す時間比信号ＰＮＲを用いて、階調値をサブフィールドコードに変換する。出力部３４は、サブフィールドコードを示すデータ信号Ｖｘを出力する。データ線駆動回路１４０は、データ信号Ｖｘに応じた電圧をデータ線１１４に印加する。なお、本実施形態においてはサブフィールド駆動方式が用いられるので、データ線１１４に印加される電圧の絶対値（大きさ）は２値（例えばゼロＶおよび５Ｖ）のいずれかである。
【００３７】
記憶部３１は、複数のサブフィールドコード（ＬＵＴ３１１およびＬＵＴ３１２）を記憶した記憶手段の一例である。複数のサブフィールドコードは、オフ期間について、時間比に応じて異なる複数のサブフィールドコードを含んでいる。変換部３３は、複数のフレームに区分された映像を示す映像信号Ｖｉｄ−ｉｎに基づいて、複数のサブフィールドから構成されるフレーム毎に入力された階調値を、記憶部３１に記憶されているサブフィールドコードのうちその階調値に対応するサブフィールドコードに変換する変換手段の一例である。この場合において、オフ期間については、与えられた時間比に応じて選択されたサブフィールドコードに変換される。出力部３４は、変換部３３により変換されたサブフィールドコードに対応する電圧を液晶パネル１００に印加させる制御手段の一例である。画像処理回路３０は、上記の記憶手段、変換手段、および制御手段を有する駆動制御装置の一例である。
【００３８】
２．動作
図４は、液晶パネル１００の駆動方法を示すタイミングチャートである。画像は１フレームごとに書き替えられる。例えば、フレーム速度は６０フレーム／秒、すなわち垂直同期信号（図示略）の周波数は６０Ｈｚであり、１フレームは１６．７ミリ秒（１／６０秒）である。この例では、１フレームが、４０個のサブフィールドに分割される例を示している。なお、図４は、すべてのサブフィールドの時間長が等しい例（１フレームが４０等分されたものが１サブフィールドである例）を示している。
【００３９】
この例で、電気光学装置１が用いられる電子機器は立体視映像（３Ｄ映像）を表示するプロジェクターであり、映像信号Ｖｉｄ−ｉｎは立体視映像を示す映像信号である。映像信号は、１フレームに右目用画像および左目用画像を含んでいる。すなわち、映像信号Ｖｉｄ−ｉｎは、右目用画像と左目用画像とが１２０Ｈｚの周期で切り替わる映像を示している。いま、１フレームの半分を「右画像フィールド」といい、残り半分を「左画像フィールド」という。図４の例では、右画像フィールドは正極性フィールドであり、左画像フィールドは負極性フィールドである。
【００４０】
右画像フィールドおよび左画像フィールドはそれぞれ、さらに半分に分割される。半分に分割された期間の一方がオン期間であり、他方がオフ期間である。この例では、右画像フィールドのオン期間、右画像フィールドのオフ期間、左画像フィールドのオン期間、左画像フィールドのオフ期間、という順序で各期間が遷移する。立体映像の視聴には、立体視眼鏡が用いられる。立体視眼鏡（図示略）は、右目用画像および左目用画像をそれぞれ右目および左目に視認させるための眼鏡であり、右目用シャッターおよび左目用シャッターを有する。これらのシャッターは、電気光学装置１が用いられた電子機器から信号に応じて、映像と同期して開閉する。信号ＳＨＲおよびＳＨＬは、それぞれ、右目シャッターおよび左目シャッターの開閉を制御する信号である。右目シャッターおよび左目シャッターは、それぞれ、Ｈレベルの時に開かれ、Ｌレベルのときに閉じられる。この例では、右目シャッターおよび左目シャッターがともに閉じている期間がオフ期間である。
【００４１】
この例では、極性信号ＦＲＰがＨレベルのときは正極性フィールド、正極性信号ＦＲＰがＬレベルのときは負極性フィールドである。スタート信号ＤＹは、サブフィールドの始期を示す信号である。スタート信号ＤＹとしてＨレベルのパルスが供給されると、走査線駆動回路１３０は、走査線１１２の走査を開始、すなわち、ｍ本の走査線１１２に走査信号Ｇｉ（１≦ｉ≦ｍ）を出力する。１つのサブフィールドにおいて、走査信号Ｇは、順次排他的に選択電圧（Ｈレベル）になる信号である。選択電圧を示す走査信号を選択信号といい、非選択電圧（Ｌレベル）を示す走査信号を非選択信号という。また、第ｉ行の走査線１１２に選択信号が供給されることを、「第ｉ行の走査線１１２が選択される」という。第ｊ列のデータ線１１４に供給されるデータ信号Ｓｊは、走査信号と同期している。例えば、第ｉ行の走査線１１２が選択されているときは、第ｉ行第ｊ列の画素１１１の階調値に対応する電圧を示す信号がデータ信号Ｖｘｊとして供給される。
【００４２】
図６は、画像処理回路３０の動作を示すフローチャートである。図６のフローは、画像処理回路３０が動作している間は継続的に、例えば毎サブフィールド実行される。ステップＳ１００において、画像処理回路３０は、現サブフィールドがオン期間に属するかオフ期間に属するか判断する。現サブフィールドがオン期間に属すると判断された場合（Ｓ１００：ＯＮ）、画像処理回路３０は、処理をステップＳ１１０に移行する。現サブフィールドがオフ期間に属すると判断された場合（Ｓ１００：ＯＦＦ）、画像処理回路３０は、処理をステップＳ１２０に移行する。
【００４３】
ステップＳ１１０において、画像処理回路３０は、映像信号Ｖｉｄ−ｉｎにより示される階調値を、ＬＵＴ３１１を用いてサブフィールドコードに変換する。
【００４４】
図７は、ＬＵＴ３１１の構成を例示する図である。ＬＵＴ３１１は、時間比ｒによらず共通に用いられるテーブルを含んでいる。このテーブルには、複数のデータセットが記録されている。各データセットは、階調値、およびその階調値に対応するサブフィールドコードを含んでいる。例えば、ＬＵＴ３１１において、階調値１２８に対応するデータセットは、サブフィールドコード「１１１１１００００１」を含んでいる。ＬＵＴ３１１において、サブフィールドコードは１０ビットのデータである。なお時間比ｒは、正極性印加時間と負極性印加時間との比であり、次式（２）で定義される。
ｒ＝ｔｐｏｎ／ｔｎｏｎ    …（２）
ここで、ｔｐｏｎは正極性印加時間であり、ｔｎｏｎは負極性印加時間である。
【００４５】
変換部３３は、ＬＵＴ３１１に記憶されているサブフィールドコードのうち、映像信号Ｖｉｄ−ｉｎにより示される階調値、および現サブフィールドのサブフィールド番号に応じたコードを読み出す。サブフィールド番号は、サブフィールドの位置を示すパラメーターであり、例えばサブフィールド番号１および２は、それぞれ、最初のサブフィールドおよび２番目のサブフィールドを示している。階調値が１２８、現サブフィールドのサブフィールド番号が５の場合、対応するコードは「１」である。
【００４６】
再び図６を参照する。ステップＳ１２０において、変換部３３は、映像信号Ｖｉｄ−ｉｎにより示される階調値を、ＬＵＴ３１２を用いてサブフィールドコードに変換する。
【００４７】
図８は、ＬＵＴ３１２の構成を例示する図である。ＬＵＴ３１２は、時間比ｒに応じた複数のテーブルを含んでいる。各テーブルには、複数のデータセットが記録されている。各データセットは、階調値、その階調値に対応する正極性のサブフィールドコード、およびその階調値に対応する負極性のサブフィールドコードを含んでいる。ここでは、ＬＵＴ３１２に含まれるテーブルのうち、ｒ＝１．０に対応するテーブル３１２１、およびｒ＝１．２に対応するテーブル３１２２が例示されている。
【００４８】
変換部３３は、ＬＵＴ３１２に含まれるテーブルのうち、与えられた時間比ｒに対応するテーブルを用いて、階調値をサブフィールドコードに変換する。このとき、変換部３３は、極性信号ＦＲＰが正極性を示している場合は正極性のサブフィールドコードを、負極性を示しているバイは負極性のサブフィールドコードを、それぞれ用いる。例えばｒ＝１．０のときはテーブル３１２１が、ｒ＝１．２のときはテーブル３１２２が、それぞれ用いられる。与えられた時間比ｒと同一の時間比ｒに対応するＬＵＴが無い場合、所定の規則（例えば、ｒが最も近いＬＵＴを選ぶ）に従ってテーブルが選択される。なお、時間比ｒは、例えば、電子機器のＣＰＵ（Central Processing Unit、図示略）から与えられる。
【００４９】
なお、ＬＵＴ３１１においても、液晶の応答特性を考慮して、正極性と負極性とで異なるサブフィールドコードが記録されていてもよい。
【００５０】
再び図６を参照する。ステップＳ１３０において、出力部３４は、変換部３３によって変換されたサブフィールドコードに応じて、現サブフィールドがオン電圧を印加すべきかオフ電圧を印加すべきかを示すデータ信号Ｖｘを、データ線駆動回路１４０に出力する。
【００５１】
データ線駆動回路１４０は、データ信号Ｖｘおよび極性反転信号ＦＲＰに応じた電圧を、データ線１１４に印加する。例えば、データ信号Ｖｘがオンを示しており、極性反転信号ＦＲＰが正極性を示している場合、＋５Ｖの電圧が、対応するデータ線１１４に印加される。別の例で、データ信号Ｖｘがオンを示しており、極性信号ＦＲＰが負極性を示している場合、−５Ｖの電圧が、対応するデータ線１１４に印加される。
【００５２】
図９は、本実施形態において用いられるサブフィールドコードを例示する図である。図９（Ａ）はｒ＝１．０の例を、図９（Ｂ）はｒ＝１．２の例を、それぞれ示している。図９（Ａ）の例と図９（Ｂ）の例とを比較すると、オン期間におけるサブフィールドコードは、時間比ｒによらず共通である。一方で、オフ期間におけるサブフィールドコードは時間比ｒに応じて異なっている。オフ期間におけるサブフィールドコードは、右画像フィールドにおけるオン電圧の累積時間を調整するためのコードである。
【００５３】
例えば、図９（Ａ）では、正極性フィールド（この例では右極性フィールドと等しい）のオン期間においてオン電圧が印加されるのは６サブフィールド、オフ期間においてオン電圧が印加されるのは４サブフィールドであり、オン電圧の累積時間は合計１０サブフィールドである。図９（Ｂ）では、右画像フィールドのオン期間においてオン電圧が印加されるのは６サブフィールド、オフ期間においてオン電圧が印加されるのは６サブフィールドであり、オン電圧の累積時間は合計１２サブフィールドである。負極性フィールドにおけるオン電圧の累積時間は、図９（Ａ）および（Ｂ）のいずれも、１０サブフィールドである。このように、時間比ｒはオフ期間におけるオン電圧の印加時間によって調整されている。本実施形態によれば、オン期間におけるオン電圧の印加時間によって時間比が調整される場合と比較して、表示不具合が発生しにくい。
【００５４】
図１０は、本実施形態において用いられるサブフィールドコードを例示する図である。図１０は、ｒ＝１．０、１．１、１．２、１．３、１．４、および１．５のそれぞれの場合における、オフ期間のサブフィールドコードを示している。この例で、オン期間においてオン電圧が印加される期間は、５サブフィールドである。ｒ＝１．０〜１．５のいずれのサブフィールドコードにおいても、第６〜第１０サブフィールドは必ずオン（「１」）になっている。単に時間比ｒを調整するだけの目的であれば、どのサブフィールドをオンにしてもよく、例えば第１〜第５サブフィールドを必ずオンにして、第６〜第１０サブフィールドで時間比ｒを調整してもよい。しかし、図１０のように、オフ期間の終期のサブフィールドを含む連続した期間においてオン電圧を印加するのは、次のオン期間の開始時点における液晶の光学状態を、できる限り共通の状態に揃えるためである。
【００５５】
例えば、液晶の応答時間（例えば、透過率が最大値の１０％から９０％まで変化する時間）が５サブフィールド以下であれば、ｒ＝１．０〜１．５のいずれのサブフィールドコードにおいても、次のオン期間の開始時点（このオフ期間の終了時点）における液晶の光学状態は、透過率約９０％で共通である。液晶の光学状態は、現オン期間におけるサブフィールドコードに応じた印加電圧だけでなく、オン期間の開始時点の液晶の光学状態に応じて決まる。したがって、このように次のオン期間の開始時点における液晶の光学状態を揃えることにより、階調の再現性を向上させることができる。
【００５６】
３．変形例
本発明は上述の実施形態に限定されるものではなく、種々の変形実施が可能である。以下、変形例をいくつか説明する。以下の変形例のうち２つ以上のものが組み合わせて用いられてもよい。
【００５７】
３−１．変形例１
図１１は、変形例１に係る電気光学装置１の構成を例示する図である。変形例１において、電気光学装置１はフリッカーを検出するための検出回路５０（フリッカー検出手段の一例）を有する。検出回路５０は、センサー５１と、解析部５２とを有する。センサー５１は、液晶パネル１００の画素の明るさを検知するセンサー（例えばカメラ）である。センサー５１は、画素の明るさを示すアナログの信号Ｓｂを、解析部５２に供給する。
【００５８】
この例で、液晶パネル１００は、表示領域以外に、表示に寄与しない、フリッカー検出用の画素（以下「検出用画素」という）を有している。センサー５１は、液晶パネル１００の検出用画素の近傍に配置される。検出用画素は、常に所定の中間階調を表示する画素である。
【００５９】
解析部５２は、センサー５１から供給される信号Ｓｂに基づいて、正極性フィールドと負極性フィールドのどちらが明るいかを示す信号Ｓａ１を出力する。さらに、解析部５２は、信号Ｓｂに基づいてフリッカー量を算出し、フリッカー量を示す信号Ｓａ２を出力する。フリッカー量は、正極性フィールドおよび負極性フィールドにおける所定の周波数成分のパワーの差である。フリッカー量は、例えば、信号Ｓｂをデジタル変換後、高速フーリエ変換した結果を用いて算出される。
【００６０】
画像処理回路３０は、フリッカーが検出されたとき、すなわち、信号Ｓａ２により示されるフリッカー量が所定のしきい値を超えていたとき、時間比ｒを変更する。画像処理回路３０は、信号Ｓａ１を用いて、時間比ｒを増やすか減らすかを決定し、さらに、信号Ｓａ２を用いて、どの程度増やすか（または減らすか）決定する。また、画像処理回路３０は、フリッカーが検出されたときにのみ、ＬＵＴ３１２を用いたサブフィールドコードへの変換を行い、フリッカーが検出されていないときには、ＬＵＴ３１２は用いず常にＬＵＴ３１１を用いてサブフィールドコードへの変換を行ってもよい。なお、時間比ｒを決定する処理は、電子機器のＣＰＵ等、画像処理回路３０以外の装置が行ってもよい。画像処理回路３０以外の装置が時間比ｒを決定した場合、画像処理回路３０は、他の装置から通知された時間比ｒに応じて処理を行う。
【００６１】
３−２．変形例２
電気光学装置１が用いられるシステムは、立体視映像を表示するシステムに限定されない。電気光学装置１は、平面視映像（２Ｄ映像）を表示するシステムに用いられてもよい。変形例２において、電気光学装置１を用いた電子機器は、間欠消灯（瞬時消灯）する光源を有している。間欠消灯する光源は、動画質の改善や、ＰＷＭ調光を目的として用いられる。この場合、オフ期間は、立体視眼鏡の両目のシャッターがともに閉じている期間ではなく、光源が消灯している期間である。
【００６２】
３−３．変形例３
実施形態においては、すべてのサブフィールドの長さが等しい例を説明したが、サブフィールドの長さは異なっていてもよい。この場合において、時間比に応じて正極性フィールドおよび負極性フィールドのいずれにもなり得るサブフィールドは、他のサブフィールドよりも時間長が短い方がよい。この場合、極性信号生成部３２は、時間比ｒに応じて反転周期が異なる極性信号ＦＲＰを生成する。すなわち、正極性フィールドおよび負極性フィールドの長さは、時間比ｒに応じて異なり、例えば、正極性フィールドと負極性フィールドとの時間長の比ｒｆは、時間比ｒにほぼ等しい。また、この場合、記憶部３１に記憶されているＬＵＴは、対応する時間比に応じてサブフィールドコードの長さ（ビット数）が異なる。例えば、ｒ＝１．０の場合には正極性のサブフィールドコードおよび負極性のサブフィールドコードはともに２０ビットであり、ｒ＝１．１の場合には正極性のサブフィールドコードは２１ビットであり、負極性のサブフィールドコードは１９ビットである。
【００６３】
なお、図４の例では、正極性フィールドと負極性フィールドとの時間長が等しい。しかし、フリッカー低減（より詳細には、電荷の偏りにより生じる内部電界の低減）のため、正極性フィールドおよび負極性フィールドの一方が他方より長い駆動がされる場合がある。このような駆動は、例えば極性信号ＦＲＰの反転周期を変化させることにより実現される。
【００６４】
図５は、比ｒｆとサブフィールドとの関係を例示する図である。図５においては、正極性フィールドと負極性フィールドとの時間長の比ｒｆが１．０の例に加え、ｒｆ＝１．４、１．２、１．１、０．９、および０．８の例が示されている。なお、この例で、比ｒｆは次式（１）で定義される。
ｒｆ＝ｔｐ／ｔｎ    …（１）
ここで、ｔｐおよびｔｎはそれぞれ正極性フィールドおよび負極性フィールドの時間長である。ｒｆ＝１．０の場合、正極性フィールドおよび負極性フィールドのいずれも、２０サブフィールド（図面では「ＳＦ」と表す）で構成される。
【００６５】
例えばｒｆ＝１．４の場合、正極性フィールドは２３サブフィールドで構成され、負極性フィールドは１７サブフィールドで構成される。以下、図５に示したように、比ｒｆに応じて、正極性フィールドおよび負極性フィールドのサブフィールド数が変化する。
【００６６】
比ｒｆがｒｆ＝１．０で固定されている場合、正極性フィールド用および負極性フィールド用それぞれに２０ビットのサブフィールドコードを設定し、これを記憶部３１に記憶させておけばよい。しかし、例えばｒｆ＝１．４になった場合、正極性フィールドは２３サブフィールドになるので、２０ビットのサブフィールドコードは使えなくなる（負極性フィールドも同様である）。本実施形態は、この問題に対処するものである。
【００６７】
３−４．変形例４
実施形態においては、時間比ｒが何に基づいて変化するかについては特に説明しなかったが、時間比ｒはどのように決められてもよい。例えば、時間比ｒは、液晶パネル１００におけるフリッカーを最小とするように決められてもよい。この場合において、電子機器は、変形例１で説明したセンサー５１を有する。電子機器のＣＰＵは、センサー５１により測定されたフリッカーを最小にするように、時間比ｒを決定する。別の例で、時間比ｒは、ユーザーの指示に応じて決定されてもよい。
【００６８】
３−５．他の変形例
【００６９】
画像処理回路３０の構成は図３で説明したものに限定されない。例えば、極性信号ＦＲＰは、画像処理回路３０とは別の装置により生成されてもよい。
【００７０】
右画面フィールドおよび左画面フィールドにおける印加電圧の極性は実施形態で例示したものに限定されない。また、これらの関係は固定されず、所定のタイミングで切り替えられてもよい。例えば右画面フィールドにおいて正極性電圧が印加され、左画面フィールドで負極性電圧が印加される駆動が行われた後で、右画面フィールドにおいて負極性電圧が印加され、左画面フィールドで正極性電圧が印加される駆動に切り替えられてもよい。
【００７１】
電気光学装置１を用いた電子機器は、実施形態で例示したプロジェクターの他にも、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。
【００７２】
液晶１０５は、ＶＡ液晶に限定されない。ＴＮ液晶等、ＶＡ液晶以外の液晶が用いられてもよい。また、液晶１０５は、ノーマリーホワイトモードの液晶であってもよい。また、液晶以外の電気光学素子が用いられてもよい。
実施形態で説明したパラメーター（例えば、階調数、フレーム周波数、画素数、サブフィールド数など）および信号の極性やレベルはあくまで例示であり、本発明はこれに限定されない。
【符号の説明】
【００７３】
１…電気光学装置、１０…制御回路、２０…走査制御回路、３０…画像処理回路、３１…記憶部、３２…極性信号生成部、３３…変換部、３４…出力部、１００…液晶パネル、１０５…液晶、１０８…コモン電極、１１１…画素、１１２…走査線、１１４…データ線、１１５…容量線、１１６…ＴＦＴ、１１８…画素電極、１２０…液晶素子、１２５…保持容量、１３０…走査線駆動回路、１４０…データ線駆動回路、３１１…ＬＵＴ、３１２…ＬＵＴ
【図１】
2014174518.tif 000003
【図２】
2014174518.tif 000004
【図３】
2014174518.tif 000005
【図４】
2014174518.tif 000006
【図５】
2014174518.tif 000007
【図６】
2014174518.tif 000008
【図７】
2014174518.tif 000009
【図８】
2014174518.tif 000010
【図９】
2014174518.tif 000011
【図１０】
2014174518.tif 000012
【図１１】
2014174518.tif 000013